(57)【要約】【課題】  着座者の起立を補助し、ベッドから車椅子への移乗、あるいは車椅子から椅子やリフトへの座り変えなどを容易にする。介助者が持ち運ぶ特殊な道具としてではなく、被介助者が常時に用いる衣類に起立補助機能を与えることで装着の手間を省く。【解決手段】  パンツまたはズボン様部分側部に牽引バンドをとりつけることで引き起こしを容易にする。このとき、側部牽引バンドは上端を大腿骨頸部よりも上部に、下端を大腿骨中心付近につける。【選択図】図１
2017158931.tif 000002
【特許請求の範囲】
【請求項１】
被介助者の体重を支えうる強度の布地で少なくとも臀部を包むパンツまたはズボン様部分と、腰部側面に取り付けられた牽引バンドから構成され、その牽引バンドの取り付け位置が、一方の端が大腿骨頸部あるいはそれより上方にあり、他端が大腿骨中心付近の位置に取り付けられており、介助者の掴み位置が、着座時の被介助者の鳩尾よりも低い大腿骨頸部付近の位置に来ることを特徴とする起立補助具。
【発明の詳細な説明】
【技術分野】
【０００１】
本発明は、高齢者や身体障害者等のベッドからの車椅子移乗、リフトや椅子等への座り変え時に、着座姿勢の被介助者を起立させ、移乗先に誘導し、着座させる際に利用する起立補助に関するものである。
【背景技術】
【０００２】
起立補助具は一般に、起立困難な被介助者の起立、車椅子移乗、リフトや椅子への座り変えの際に利用される。介助者の身体状況に応じて、全体重を支えるリフト装置、車椅子などに付随した起立補助機構、バネを用いた跳ね上がり座面、足を固定して引き起こす補助具、介助者によって引き起こすための牽引バンド（特許文献１および特許文献２）などが開示されている。
【０００３】
これらのうち牽引バンドは他の方法に比べて安価であり、軽量で持ち運びが可能なために多様な場面での使用か可能である利点を有する。
【０００４】
特許文献１に示す牽引バンドでは、着座姿勢にある被介助者にウエストバンドを装着し、次いで上記ウエストバンドに牽引バンドを斜め上方に向けて引き起こすことにより、介助者を起立姿勢に導く。
【０００５】
特許文献２に示す牽引バンドでは、特許文献１のウエストバンドに代わり腰当てバンドと尻当てバンドからなる介助バンド本体を有し、介助バンド本体に取り付けられた牽引バンドを斜め上方に引き起こすことにより、介助者を起立姿勢に導く。
【０００６】
特許文献３に示す介護者及び要介護者用着衣では、介護者のエプロンおよび要介護者のズボンにバンド状の掴み部をつけることにより、起立介助を容易にする。
【先行技術文献】
【特許文献】
【０００７】
【特許文献１】特表２００４―５１４５０３号公報
【特許文献２】登録実用新案第３１５５２２９号公報
【特許文献３】特開平１１-８１０１０号公法
【発明の概要】
【発明が解決しようとする課題】
【０００８】
しかしながら、上記した特許文献１に開示の方法にあっては、介助者が牽引バンドを掴み、被介助者を引き起こすことが可能な点では有益であるが、装着において被介助者を持ち上げなければならず作業者の負担が大きい上、バンドの狭い面積で被介護者に圧力がかかり骨の脆い高齢者では骨折のリスクがあり、引き起こし動作中には被介助者が不安定になりやすい問題がある。
【０００９】
この不具合を解消するために考案された特許文献２に開示の方法にあっては、方向を間違えずに被介助者に比較的簡単に装着することができ、安定な引き起こし動作を可能にする点で有益であるが、装着作業の煩わしさが消えたわけではなく、習熟の必要な特殊道具の域を出ない。自らの身体を使って引き起こす作業に慣れている介助者にとっては作業の軽減には必ずしも寄与しない場合がある。
【００１０】
常時装着を可能にするために考案された特許文献３に開示されている方法では、介助者の着用する衣類やエプロン、被介助者の着用しているズボンの腰側部と背部に持ち手をつけている。介助者は腰背部の持ち手を片手で掴み、もう一方の手で腰側部の持ち手を掴む。これは装着の手間を省く点では有益であるが、腰背面を持って引き上げる方法は被介助者の股に衣類が食い込み、肉体的精神的苦痛を生じさせることもあり、好ましい方法ではない。両サイドの持ち手のみを使いつつ、容易に持ち上げられるパンツまたはズボン様の器具が望ましい。
【００１１】
そこで本発明では、上記の装着作業の煩わしさを解消し、被介護者が日常的に身につけることが可能な衣類またはサポーター類似形状で、いつでも起立支援することを可能にする起立補助具を提供することを目的とする。持ち手の付け方を工夫することにより、側面部の持ち手のみでも楽に起立介助や移乗介助を可能にする補助具とするものである。
【課題を解決するための手段】
【００１２】
本発明は、被介助者にとって常時装着しても不快とならないパンツ様衣類またはサポーター様の臀部を包む座面部を有し、介助者が掴む引き起こし用の牽引バンドを側面に有することにより、引き起こし動作において被介助者の腰から大腿を包み支えることを最も主要な特徴とする。
【００１３】
上記の側部両面に取り付けられる牽引バンドは、介助者の掴み位置が着座状態の被介助者の鳩尾よりも低い位置にくるようにする。これは被介助者の臀部を前方斜め前に引くことで尻を浮かすために必要である。
【００１４】
上記の側部両面に取り付けられる牽引バンドはその一端を大腿骨頸部大転子付近あるいはより上方の腸骨付近の腰側部にとりつけ、他端を起立時には大腿骨中心付近に固定する。
【００１５】
同じく、牽引バンドと臀部を包む丈夫な布地としっかり結合することにより、被介助者の体重を支える強度を保持しなければならない。
【発明の効果】
【００１６】
請求項１に掛かる発明によれば、被介助者の体重を支えうる強度の布地で少なくとも臀部を包むパンツまたはズボンと、それにしっかりと結合した介助者が着座している被介助者を引き起こすために被介助者の腰部側面に取り付けられた牽引バンドから構成されることにより、介助者による引き起こし動作において、被介助者が日常的に装着するパンツまたはズボン様でありながらいつでも起立介助することが可能になる。
【００１７】
このとき、上記の被介助者を引き起こすために掴む牽引バンドの取り付け位置が、一方の端が大腿骨頸部あるいはそれより上方にあり、他端が大腿骨中心付近の位置に取り付けることによって、起立時にはたるまず引っかかるリスクを下げ、着座状態においては緩んで被介助者の腰側部に斜めになることにより、介助動作における持ち手の掴みやすさと引き上げやすさを実現にする。発明者の検討によれば、効果的な起立介助の方法は持ち手をもって介助者が重心を後方に倒す動作により被介助者を斜め４５度方向に回転的に引き上げることであり、牽引ベルトはこの動作において持ちやすいことが望ましい。
【００１８】
上記の取り付け位置で自然に実現される状態として、上記の被介助者を引き起こすために掴む牽引バンドの掴み位置が、着座状態の被介助者の鳩尾よりも低い位置に来る。これにより、被介助者の腰を安定して支えるとともに、介助者が後方に体重移動を行うことで引き起こし動作を自然に行うことが可能になる。発明者の検討によれば、掴み位置が鳩尾よりも高いと介助者の重心移動を有効活用できない。
【図面の簡単な説明】
【００１９】
【図１】本発明の実施形態における起立補助具を示す正面図である。
【図２】本発明の実施形態における牽引バンド取り付け位置と骨格の関係を示す図である。
【図３】本発明の実施形態における起立補助具を示す側面図である。
【図４】本発明の実施形態における着座時の側面図である。
【図５】本発明の実施形態における起立補助座面の使用状態を示す側面図である。
【発明を実施するための形態】
【００２０】
以下、図面を参照して説明する。
【００２１】
図１に示すように、本発明の起立補助具Ａは、パンツまたはズボン様部分１と、牽引バンド２とで構成される。
【００２２】
そして、左右腰部の牽引バンド２の両端はパンツまたはズボン様部分１としっかりと結合する。図２に示すように、上端３は大腿骨頸部５より上方となる腸骨６付近の位置にとりつけ、下端４は大腿骨７中心付近に取り付ける。
【００２３】
上記したように、パンツまたはズボン様部分を常時着用することが可能となり、装着する手間を省くことができる。
【００２４】
図２(a)および図３に示すように牽引バンド２は起立時には側部に沿って引っかかりにくくなっているが、着座時には図２（b）または図４に示すようにゆるみ、傾いた状態となり持ちやすく、かつ引き上げやすくなる。
【００２５】
また、牽引バンド２の掴み位置が高すぎると介助者の体重の後方移動による引き起こしが困難になるが、図５に示すように被介助者８の鳩尾よりも低い、例えば大腿骨頸部付近の適切な位置にある本発明の起立補助具Ａの牽引バンドを掴み、介助者９の体重を後方に移動させることで引き起こすことが可能となる。
【００２６】
図２および図４に示すように、牽引バンド２の取り付け位置について、上端３が大腿骨頸部５付近かその上方の腸骨６付近につき、下端４が大腿骨７中心付近に取り付けることにより、被介助者の起立状態では側部にたるまず沿うが、着座状態においてバンドがゆるみ上端と下端が斜めになることで掴みやすさと引き上げやすさを可能にする。
【００２７】
以下に、本発明に係る起立補助座面の構成部品について、詳細に説明する。
【００２８】
上記パンツまたはズボン様部１は図１に示すように、衣服として日常的に着用できる形状をもち、起立補助での引き起こし動作時に被介助者の体重が掛かっても破れずにささえることを可能とする、デニムなど丈夫な素材の布などで構成される。
【００２９】
また、パンツまたはズボン様部分の形状や構造は適宜選択することが可能であり、例えば、膝までの短パン様にしたり、一部にメッシュ生地を導入して通気性を保つなどしたりしても良い。
【００３０】
上記牽引バンドは被介助者を起立介助するときに介助者が掴む持ち手であり、引き起こし動作においても切れないデニムやナイロン等合成繊維や樹脂や皮革等により構成される。
【００３１】
上記パンツまたはズボン様部分と牽引ベルトは丈夫な糸および縫製方法等により被介助者の体重を支えうる強度で互いに結合しなければならない。
【００３２】
牽引バンドの形状や素材は適宜選択することが可能であるが、引き起こし動作中に介助者が掴む位置が、被介助者の鳩尾よりも低い大腿骨頸部付近となるようにすることが好ましい。
【００３３】
前記のように適切な掴み位置になるように牽引バンドを取り付けることにより、図５に示すように、介助者９が屈みすぎず仰け反りすぎない無理のない範囲で体重移動することにより被介助者を引き起こすことが可能になる。本発明のように大腿側面に付けることは、この体重移動を効果的に行う上で有効である。発明者による検討では、臀部に持ち手を付ける場合には、側部に付ける場合に比べて体重移動を十分に行うことができない。
【００３４】
次に、上記した第一実施形態に係る起立補助具の使用例について以下に説明する。
【００３５】
先ず、図５（ａ）に示すように、本発明の起立補助具を装着状態にある被介助者８の前方から腕を伸ばした状態で介助者９は左右の各牽引バンドを掴む。このときに介助者の軸足は被介助者の足の間におき、被介助者は介助者の背中に手を回すことが好ましい。
【００３６】
次に介助者は腕を適度に伸ばしたまま、被介助者側においていないもう一方の足を後方に引き、図５（ｂ）に示すように軸足を中心に重心を後方に移動する。
【００３７】
前記の重心移動により、被介助者は自然に引き起こされ起立に導くことが可能となり、介助者にとっては腕や腰に負担がかからない。
【００３８】
また、従来の起立補助具と異なり、本発明の起立補助具は被介助者が常時使用状態にあることで装着の手間が省けるので作業の効率性が良く、また被介助者への接触面積が大きいことから起立時の安定性が高い。
【００３９】
以上、本発明の一実施の形態を詳細に説明したが、特許請求の範囲から逸脱することなく改造、変形及び変更を行うことができることは理解すべきである。
【符号の説明】
【００４０】
Ａ  起立補助具本体
１  パンツまたはズボン様部分
２  牽引バンド
３  牽引バンド上端側取り付け位置
４  牽引バンド下端側取り付け位置
５  大腿骨頸部
６  腸骨
７  大腿骨
８  被介助者
９  介助者
【図１】
2017158931.tif 000003
【図２】
2017158931.tif 000004
【図３】
2017158931.tif 000005
【図４】
2017158931.tif 000006
【図５】
2017158931.tif 000007